(57)【要約】【課題】簡素な手順で、定着ローラの中心位置にヒータを位置決めすることができる定着装置を提供する。【解決手段】位置決め部材５８は、第１支持部材５５及び第２支持部材５６に対する定着ローラ５３１の位置を位置決めする位置決め穴５８１Ａ，５８１Ｂ、第１支持部材５５に取り付けるネジ穴５８４Ａ，５８４Ｂ、及びヒータ５４の端部５４１，５４２を保持する保持部５８３が形成されている。保持部５８３は、ヒータ５４の端部５４１，５４２を嵌入する開口５８３Ａが形成されている。位置決め部材５８を定着ローラ５３１の両端に配置する。位置決め穴５８１Ａ，５８１Ｂのそれぞれにかしめられた位置決めピン５９Ａ，５９Ｂを、それぞれ、第２屈曲部５６１の位置決め穴５６１Ａ，５６１Ｂ、第１屈曲部５５１の位置決め穴５５１Ａ，５５１Ｂに貫通させる。ヒータ５４の端部５４１を、位置決め部材５８の保持部５８３の開口５８３Ａに嵌入する。【選択図】  図２
2012103372.tif 000002
【特許請求の範囲】
【請求項１】
両端が開放された筒状の定着ローラと、
前記定着ローラより軸方向の長さが長い棒状を呈し、前記定着ローラの両端から両端部を突出させて前記定着ローラ内に配置されるヒータと、
前記定着ローラの両端部を回転自在に支持する支持部材と、
前記支持部材の両端にそれぞれ配置され、前記定着ローラの軸方向に直交する面における、前記支持部材に対する前記定着ローラの位置を位置決めする位置決め部材と、を備え、
前記位置決め部材は、前記定着ローラの軸方向に直交する面における、前記定着ローラの中心位置に前記ヒータを位置決めする保持部を有し、
前記保持部は、前記ヒータの端部が嵌入される開口を有し、前記開口の周囲の一部が切断された形状を呈している定着装置。
【請求項２】
前記支持部材は、先端に半円状の第１凹部が形成された第１屈曲部を両端に有する第１支持部材と、半円状の円弧を含む第２凹部が形成された第２屈曲部を両端に有する第２支持部材と、から構成され、
前記第１支持部材及び前記第２支持部材は、前記定着ローラの軸方向から見て、前記第１凹部と前記第２凹部とが同心円周上で、且つ対向する位置に配置され、
前記定着ローラは、定着動作時に前記第１凹部で固定され、定着非動作時に前記第１凹部からの移動を前記第２凹部で阻止されている請求項１に記載の定着装置。
【請求項３】
前記第１支持部材、及び前記第２支持部材は、前記定着ローラの軸方向に直交する面に、位置決めピンが挿入されるピン穴であってそれぞれ異なるサイズのピン穴が形成されている請求項２に記載の定着装置。
【請求項４】
画像データに基づく画像を用紙へ転写する転写手段と、
請求項１〜３の何れかの定着装置であって、前記転写手段が転写した画像を前記用紙へ定着させる定着装置と、を備える画像形成装置。
【発明の詳細な説明】
【技術分野】
【０００１】
画像形成装置に適応される定着装置における、定着ローラと、定着ローラの内部に配置されるヒータと、の取り付け構造に関する。
【背景技術】
【０００２】
画像形成装置は、用紙にトナー像を定着させるための定着装置を備えている。定着装置は、内部にヒータを有する定着ローラ及び加圧ローラを備え、定着ローラと加圧ローラの間を用紙が通過するタイミングで、用紙へトナーを定着させている。また、ヒータは、定着ローラの周面の温度を一定に保つために、中心に配置されている（例えば、特許文献１参照）。
【０００３】
特許文献１の定着装置は、定着ローラを回転自在に支持する第１構造体を備えている。第１構造体は、軸受けを介して定着ローラの両端を支持する支持部材と、各支持部材の外側に取付ボスと、が配置されている。この取付ボスを用いて、ヒータを支持するヒータ支持板が第１構造体に取り付けられる。ヒータ支持板は、逆Ｖ字状の凹部を有し、Ｖ字状の凹部を有するヒータ押え板とネジ止めされる。ヒータ支持板の凹部とヒータ押え板の凹部との間には、ヒータが配置されている。
【先行技術文献】
【特許文献】
【０００４】
【特許文献１】特開平６−３１８００３号公報
【発明の概要】
【発明が解決しようとする課題】
【０００５】
特許文献１の定着装置では、次の手順で、第１構造体にヒータを取り付ける。まず、ヒータ支持板の凹部とヒータ押え板の凹部との間にヒータを配置して、ヒータ支持板及びヒータ押え板をネジ止めする。そして、ヒータ支持板を第１構造体にネジ止めする。このように、特許文献１の定着装置では、定着ローラとヒータとを個別に位置決めして第１構造体に取り付けるためするため、取り付けに手間がかかり、煩雑な作業となる。
【０００６】
そこで、この発明は、手間をかけずに、定着ローラの中心にヒータを取り付けることができる定着装置、及びこの定着装置を備えた画像形成装置を提供することを目的とする。
【課題を解決するための手段】
【０００７】
この発明の定着装置は、定着ローラと、ヒータと、支持部材と、位置決め部材とを備える。定着ローラは、両端が開放された筒状である。ヒータは、定着ローラより軸方向の長さが長い棒状を呈し、定着ローラの両端から両端部を突出させて定着ローラ内に配置される。支持部材は、定着ローラの両端部を回転自在に支持する。位置決め部材は、支持部材の両端にそれぞれ配置され、定着ローラの軸方向に直交する面における、支持部材に対する定着ローラの位置を位置決めする。位置決め部材は、定着ローラの軸方向に直交する面における、定着ローラの中心位置にヒータを位置決めする保持部を有する。保持部は、ヒータの端部が嵌入される開口を有し、開口の周囲の一部が切断された形状を呈している。
【０００８】
この構成では、定着ローラは、内部にヒータが配置された状態で、支持部材に回転自在に支持されている。ヒータは、位置決め部材の保持部に形成された開口に両端部が嵌入されて保持される。この時、ヒータは、定着ローラの軸方向に直交する面において、定着ローラの中心位置に配置される。
【０００９】
支持部材は、先端に半円状の第１凹部が形成された第１屈曲部を両端に有する第１支持部材と、半円状の円弧を含む第２凹部が形成された第２屈曲部を両端に有する第２支持部材とから構成されることが好ましい。この場合、第１支持部材及び第２支持部材は、定着ローラの軸方向から見て、第１凹部と第２凹部とが同一円周上で、且つ対向する位置に配置される。定着ローラは、定着動作時に第１凹部で固定され、定着非動作時に第１凹部からの移動を第２凹部で阻止されている。
【００１０】
この構成では、支持部材は、第１支持部材及び第２支持部材から構成される。第１支持部材は、半円状の第１凹部が先端に形成された第１屈曲部を両端に有する。第２支持部材は、半円状の円弧を含む第２凹部が形成された第２屈曲部を両端に有する。第１支持部材及び第２支持部材は、定着ローラの軸方向から見て、第１凹部と第２凹部とが同一円周上で、且つ対向する位置に配置される。定着ローラは、第１支持部材の第１凹部と第２支持部材の第２凹部との間に配置される。定着ローラは、定着動作時に、加圧ローラにより圧接されるため、第１凹部に固定される。定着ローラは、定着非動作時に、加圧ローラの圧接が解除されるため、第１凹部からの移動を前記第２凹部で阻止されている。
【００１１】
これにより、定着装置は、第１支持部材及び第２支持部材により上下方向又は左右方向から定着ローラを挟むだけで、回転自在に支持することができる。
【００１２】
第１支持部材、及び第２支持部材は、定着ローラの軸方向に直交する面に、位置決めピンが挿入されるピン穴であってそれぞれ異なるサイズのピン穴が形成されている構成であることが好ましい。
【００１３】
この構成では、位置決め部材は、定着ローラの軸方向に直交する面において、第１支持部材及び第２支持部材に対する定着ローラの位置の位置決めを、段付き位置決めピンによって行う。第１支持部材、及び第２支持部材は、それぞれ異なるサイズのピン穴が形成されている。
【００１４】
これにより、定着装置は、位置決め部材を第１支持部材と第２支持部材とに位置決めピンで取り付けるだけで、第１支持部材及び第２支持部材に対する定着ローラの位置、及び定着ローラに対するヒータの位置を容易に位置決めすることができる。
【００１５】
この発明の画像形成装置は、転写手段と、上述の定着装置とを備える。転写手段は、画像データに基づく画像を用紙へ転写する。定着装置は、転写手段が転写した画像を用紙へ定着させる。
【００１６】
この構成では、用紙は、転写装置で画像が転写され、上述の定着装置で画像が定着される。
【００１７】
これにより、画像形成装置は、定着ローラの中心にヒータが配置されているため、定着ローラの表面温度が一定となり、用紙への画像の定着ムラを防ぐことができる。
【発明の効果】
【００１８】
この発明の定着装置は、位置決め部材に形成された開口にヒータの両端部を嵌入するだけの簡素な手順で、定着ローラの中心位置にヒータを位置決めすることができる。
【図面の簡単な説明】
【００１９】
【図１】画像形成装置の概略構成を示す構成図である。
【図２】定着ユニットの分解斜視図である。
【図３】位置決め部材の斜視図である。
【発明を実施するための形態】
【００２０】
図１に示すように、画像形成装置１００は、原稿から読み取った画像データに基づいて所定の用紙に多色又は単色の画像を形成する。画像形成装置１００は、画像読取部１２０、画像形成部１１０、及び給紙部１３０を備えている。
【００２１】
画像読取部１２０は、スキャナユニット７０、原稿台７１、及び自動原稿搬送装置７２を備え、原稿の表裏両面の画像を原稿反転読取方式又は両面同時読取方式の何れかで読み取る。スキャナユニット７０は、例えば縮小光学系センサであり、高精度で画像を読み取ることができる。原稿台７１は、硬質板ガラスで構成される。
【００２２】
自動原稿搬送装置７２は、原稿台７１の上面の背面側で回動自在に支持されている。作業者が原稿台７１上に手動操作で原稿を載置する場合、自動原稿搬送装置７２を回動操作して原稿台７１の上面を開閉する。
【００２３】
自動原稿搬送装置７２は、画像読取前の原稿を収納する原稿トレイ７３、及び画像読取後の原稿を収納する排紙トレイ７４を備えている。排紙トレイ７４は、原稿トレイ７３の下方で、原稿トレイ７３の底面との間に所定の空間を設けて配置されている。自動原稿搬送装置７２の内部には、原稿トレイ７３から排紙トレイ７４に至る間に、搬送路７５が形成されている。
【００２４】
給紙部１３０は、給紙カセット８１及び手差しトレイ８２を備えている。給紙カセット８１には、使用頻度の比較的高いサイズ及び種類の用紙が複数枚収納される。手差しトレイ８２には、使用頻度の比較的低いサイズや種類の用紙が載置される。給紙部１３０から排紙部９０に至るまで用紙搬送路８３が形成されている。
【００２５】
画像形成部１１０は、中間転写ベルトユニット４０、画像形成ステーション３０Ａ〜画像形成ステーション３０Ｄ、２次転写ユニット５１、露光ユニット５２、定着ユニット５３を備えている。中間転写ベルトユニット４０は、無端ベルトである中間転写ベルト４１を駆動ローラ４２及び従動ローラ４３等によって回転自在に張架している。
【００２６】
画像形成ステーション３０Ａ〜画像形成ステーション３０Ｄは、それぞれブラック、シアン、マゼンタ及びイエローの各色の現像剤を用いて電子写真方式の画像形成を行う。例えば、画像形成ステーション３０Ａは、感光体ドラム３１Ａの周囲に帯電器３２Ａ、現像器３３Ａ、１次転写器３４Ａを配置している。画像形成ステーション３０Ｂ〜画像形成ステーション３０Ｄは、画像形成ステーション３０Ａと同様に構成されている。
【００２７】
露光ユニット５２は、画像読取部１２０で読み取られたブラック、シアン、マゼンタ及びイエローの各色の画像データに基づいて半導体レーザ（不図示）を駆動し、各色のレーザ光を画像形成ステーション３０Ａ〜画像形成ステーション３０Ｄに配光する。露光ユニット５２は、画像データに基づいて駆動されるＬＥＤアレイ等の半導体レーザ以外の光源を用いたものであってもよい。
【００２８】
例えば、画像形成ステーション３０Ａでは、感光体ドラム３１Ａの周面が、帯電器３２Ａによって均一に帯電された後、露光ユニット５２から配光されたブラックの画像データに基づくレーザ光で露光される。これによって、感光体ドラム３１Ａの周面に、ブラックの画像データに基づく静電潜像が形成される。次いで、感光体ドラム３１Ａの周面には、現像器３３Ａからブラックの現像剤が供給され、静電潜像がブラックのトナー像に可視像化される。感光体ドラム３１Ａの周面に形成されたトナー像は、１次転写器３４Ａによって中間転写ベルト４１の表面に転写される。
【００２９】
カラー画像形成時には、画像形成ステーション３０Ｂ〜画像形成ステーション３０Ｄでも、シアン、マゼンタ及びイエローの各色について、画像形成ステーション３０Ａと同様の処理が行われる。ブラック、シアン、マゼンタ及びイエローの各色のトナー像が、中間転写ベルト４１の表面で重ね合わされる。
【００３０】
２次転写ユニット５１は、中間転写ベルト４１の表面に担持されたトナー像を用紙に転写する。定着ユニット５３は、１対の定着ローラ５３１と加圧ローラ５３２とを備え、トナー像が転写された用紙を加熱及び加圧し、用紙にトナー像を定着させる。定着ユニット５３は、定着動作時に加圧ローラ５３２を定着ローラ５３１に圧接して、非定着動作時に加圧ローラ５３２の圧接を解除する。
【００３１】
以下に、定着ユニット５３における、定着ローラ５３１の取り付け構造について図２，３を参照して説明する。図２に示すように、定着ユニット５３は、定着ローラ５３１、ヒータ５４、第１支持部材５５、第２支持部材５６、及び位置決め部材５８から構成される。まず、各部材について説明する。
【００３２】
定着ローラ５３１は、金属製の芯金（例えば、直径１５ｍｍのステンレス鋼）の周面に弾性層（例えば、厚さ７．５ｍｍのシリコンスポンジゴム）が設けられた構成を有し、軸方向において、両端を開放した中空円筒状の形状を呈する。定着ローラ５３１の両端部には、軸受け５３１Ａ、５３１Ｂが取り付けられている。
【００３３】
ヒータ５４は、例えばハロゲンヒータランプであり、定着ローラ５３１の軸方向において、定着ローラ５３１の長さより長い棒状を呈する。ヒータ５４の端部５４１には、ハーネス（不図示）が取り付けられている。なお、端部５４１に換えて端部５４２にハーネスを取り付けてもよい。
【００３４】
第１支持部材５５は、長手方向の両端を同一方向側に屈曲して形成された第１屈曲部５５１，５５２を有する。第１屈曲部５５１は、半円状の第１凹部５５３が先端に形成されている。第１凹部５５３は、定着ローラ５３１の端部に取り付けられた軸受け５３１Ａを保持している。第１屈曲部５５１は、位置決め用の位置決め穴５５１Ａ，５５１Ｂが形成されている。位置決め穴５５１Ａは、小判状を呈し、円形部分の直径が５．５ミリで直線部分の幅が５ミリである。位置決め穴５５１Ｂは、円形状を呈し、直径が５ミリである。
【００３５】
第１屈曲部５５２は、第１屈曲部５５１と同様に、半円状の第１凹部５５４が先端に形成されている。第１凹部５５４は、第１凹部５５３と同様に、定着ローラ５３１の端部に取り付けられた軸受け５３１Ｂを保持している。第１屈曲部５５２は、第１屈曲部５５１と同様に、位置決め用の位置決め穴５５２Ａ，５５２Ｂが形成されている。位置決め穴５５２Ａ，５５２Ｂは、それぞれ位置決め穴５５１Ａ、５５１Ｂと同一形状を呈する。
【００３６】
第２支持部材５６は、紙面裏から紙面表の方向に向かって用紙が通過する矩形状の開口部５６０が長手方向に形成されている。第２支持部材５６は、長手方向の両端を同一方向側に屈曲して形成された第２屈曲部５６１，５６２を有する。第２屈曲部５６１は、第２支持部材５６の長手方向と直交する方向で且つ第２屈曲部５６１の屈曲方向と直交する方向を、長手方向とする開口部５６３が形成されている。開口部５６３は、長手方向の一端が凹となる半円状の円弧５６３Ａを有する略矩形状を呈する。円弧５６３Ａの半径は、第１支持部材の第１凹部５５３の半径より大きい。
【００３７】
開口部５６３は、短手方向の長さが円弧５６３Ａの直径に一致し、長手方向の中心線が第１線上から第１線に平行な第２の線上を通るように形成されている。
【００３８】
第２屈曲部５６１は、開口部５６３の長手方向の他端（円弧５６３Ａが形成されていない他端）を屈曲することで、端部５６３Ｂが形成されている。端部５６３Ｂは、第２支持部材５６の長手方向における中心から外側向かって、円弧５６３Ａを除く開口部５６３の２点を通過する箇所を屈曲して形成されている。
【００３９】
第２屈曲部５６１は、位置決め用の位置決め穴５６１Ａ，５６１Ｂ、及びネジ穴５６５Ａ，５６５Ｂが形成されている。位置決め穴５６１Ａは、小判状を呈し、円形部分の直径が７．５ミリで直線部分の幅が７ミリである。位置決め穴５６１Ｂは、円形状を呈し、直径が７ミリである。
【００４０】
第２屈曲部５６２は、第２屈曲部５６１と同様に、第２支持部材５６の長手方向と直交する方向で且つ第２屈曲部５６２の屈曲方向と直交する方向を、長手方向とする開口部５６４が形成されている。開口部５６４は、第２支持部材５６の長手方向と直交する面を平面鏡として、開口部５６３と面対称になる形状を呈している。開口部５６４は、長手方向の一端に円弧５６４Ａを、他端に端部５６４Ｂを有している。第２屈曲部５６２は、位置決め用の位置決め穴５６２Ａ，５６２Ｂ、及びネジ穴５６６Ａ，５６６Ｂが形成されている。
【００４１】
また、第２屈曲部５６１，５６２は、それぞれ加圧ローラ５３２を支持する加圧ローラ用支持部材を取り付ける凹部５７Ａ，５７Ｂが形成されている。
【００４２】
位置決め部材５８は、図３に示すように、第１面５８１と、第１面５８１に平行で且つ第１面５８１から鍵状に突出した第２面５８２とから構成される。位置決め部材５８は、第１支持部材５５及び第２支持部材５６に対する定着ローラ５３１の位置を位置決めする位置決め穴５８１Ａ，５８１Ｂ、及びネジ穴５８４Ａ，５８４Ｂが第１面５８１に形成されている。位置決め穴５８１Ａ，５８１Ｂは、それぞれ位置決めピン５９Ａ，５９Ｂがかしめられている。位置決めピン５９Ａ，５９Ｂは、５ミリと７ミリの円形状の２段ピンである。
【００４３】
位置決め部材５８は、ヒータ５４の端部５４１，５４２を保持する保持部５８３が第２面５８２に形成されている。保持部５８３は、ヒータ５４の端部５４１，５４２を嵌入する開口５８３Ａが第２面５８２の先端に形成されている。保持部５８３は、開口５８３Ａの周囲の一部に切断部５８３Ｂが形成されている。
【００４４】
次に、定着ローラ５３１の取り付け手順について図２を参照して説明する。
【００４５】
まず、定着ローラ５３１を第１支持部材５５に取り付ける。
【００４６】
第１支持部材５５の長手方向が定着ローラ５３１の軸方向に一致し、且つ第１支持部材５５の第１屈曲部５５１，５５２の屈曲方向が定着ローラ５３１側となるように、定着ローラ５３１と第１支持部材５５とを配置する。
【００４７】
そして、定着ローラ５３１の軸受け５３１Ａを、第１支持部材５５の第１屈曲部５５１の第１凹部５５３に取り付ける。同様に、定着ローラ５３１の軸受け５３１Ｂを、第１支持部材５５の第１屈曲部５５２の第１凹部５５４に取り付ける。
【００４８】
次に、第１支持部材５５に取り付けられた定着ローラ５３１を、第２支持部材５６に取り付ける。
【００４９】
第２支持部材５６の長手方向が、定着ローラ５３１の軸方向に一致し且つ定着ローラ５３１の軸方向から見て定着ローラ５３１を中心として第１支持部材５５から９０度離間した位置に位置するように、第２支持部材５６を配置する。この時、第２屈曲部５６１，５６２は、開口部５６３，５６４の長手方向が第１屈曲部５５１，５５２の屈曲方向に一致し、端部５６３Ｂ，５６４Ｂが第１屈曲部５５１，５５２側に位置するように配置される。
【００５０】
そして、定着ローラ５３１の軸受け５３１Ａを、第２屈曲部５６１の端部５６３Ｂにより形成された隙間から開口部５６３を経て円弧５６３Ａまで、第１支持部材５５が取り付けられていない側を先頭にして挿入する。同様に、定着ローラ５３１の軸受け５３１Ｂを、第２屈曲部５６２の端部５６４Ｂにより形成された隙間から開口部５６４を経て円弧５６４Ａまで、第１支持部材５５が取り付けられていない側を先頭にして挿入する。挿入後、第１凹部５５３，５５４と円弧５６３Ａ，５６４Ａは、定着ローラ５３１の軸方向から見て、同心円周上で且つ対向する位置に位置する。また、定着ローラ５３１の軸受け５３１Ａ、５３１Ｂと第２支持部材の円弧５６３Ａ，５６４Ａとの間には、若干の隙間が設けられる。
【００５１】
次に、ヒータ５４を定着ローラ５３１の内部に配置する。この時、ヒータ５４は、定着ローラ５３１の両端から端部５４１，５４２を突出させて、定着ローラ５３１の内部に配置される。
【００５２】
次に、第１支持部材５５の第１屈曲部５５１、第２支持部材５６の第２屈曲部５６１、及びヒータ５４の端部５４１に位置決め部材５８を取り付ける。
【００５３】
位置決め部材５８を定着ローラ５３１の両端に配置する。位置決め部材５８の位置決め穴５８１Ａ，５８１Ｂは、それぞれ位置決めピン５９Ａ，５９Ｂがかしめられている。位置決めピン５９Ａを、第２屈曲部５６１の位置決め穴５６１Ａ、第１屈曲部５５１の位置決め穴５５１Ａに貫通させる。この時、位置決め穴５６１Ａと位置決め穴５５１Ａとは、定着ローラの軸方向から見て、小判状の穴の直線部が平行となるよう貫通される。位置決めピン５９Ｂを、同様に第２屈曲部５６１の位置決め穴５６１Ｂ、第１屈曲部５５１の位置決め穴５５１Ｂを貫通させる。
【００５４】
位置決め部材５８のネジ穴５８４Ａ，５８４Ｂと、それぞれ第１支持部材５５のネジ穴５６５Ａ，５６５Ｂとをネジ止めする。
【００５５】
ヒータ５４の端部５４１を、位置決め部材５８の保持部５８３の開口５８３Ａに嵌入する。ヒータ５４の端部５４１にハーネスを取り付ける。このハーネスは、切断部５８３Ｂにより取り外し自在となっている。
【００５６】
最後に、第１支持部材５５の第１屈曲部５５２、第２支持部材５６の第２屈曲部５６２、及びヒータ５４の端部５４２に位置決め部材５８を取り付ける。
【００５７】
以上より、定着ユニット５３は、位置決め部材５８の開口５８３Ａにヒータ５４の両端部５４１，５４２を嵌入するだけで、定着ローラ５３１の中心位置にヒータ５４を位置決めすることができる。
【００５８】
定着ユニット５３は、定着動作時には、加圧ローラ５３２が定着ローラ５３１に圧接するため、定着ローラ５３１を第１支持部材５５の第１凹部５５３，５５４で固定する。定着ユニット５３は、非定着動作時には、加圧ローラ５３２が定着ローラ５３１に圧接しないため、第１支持部材５５の第１凹部５５３，５５４から定着ローラ５３１が移動しないように、第２支持部材６の円弧５６３Ａ，５６４Ａで阻止している。このため、定着ユニット５３は、第１支持部材５５の第１屈曲部５５１，５５２と第２支持部材５６の第２屈曲部５６１，５６２との間に定着ローラ５３１を配置するだけで、定着ローラ５３１の両端部を回転自在に支持することができる。
【００５９】
定着ユニット５３は、小判状を呈する第１支持部材５５の位置決め穴５５１Ａ，５５２Ａ、及び第２支持部材５６の位置決め穴５６１Ａ，５６２Ａの直線部分を平行にすることで、定着ローラ５３１の軸方向に直交する面の位置決めの精度を向上させることができる。また、定着ユニット５３は、第１支持部材５５と第２支持部材５６とを段付き位置決めピンを用いて位置決めしたことで、定着ローラ５３１の軸方向の誤差を減少させることができ、定着ローラ５３１の軸方向に直交する面の位置決めの精度をより向上させることができる。
【００６０】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００６１】
５３…定着ユニット
５３１…定着ローラ
５３１Ａ，５３１Ｂ…軸受け
５４…ヒータ
５４１，５４２…端部
５５…第１支持部材
５５１，５５２…第１屈曲部
５５３，５５４…第１凹部
５６…第２支持部材
５６１，５６２…第２屈曲部
５６３，５６４…開口部
５６３Ａ、５６４Ａ…円弧
５８…位置決め部材
５８１Ａ，５８１Ｂ…位置決め穴
５８３…保持部
５８３Ａ…開口
５８３Ｂ…切断部
５９…位置決めピン
【図１】
2012103372.tif 000003
【図２】
2012103372.tif 000004
【図３】
2012103372.tif 000005